(57)【要約】名刺上の位置コーディングパターンを検出し、パターンにより座標を計算するように適合された名刺及びペン。ペンによって送信ボックスを起動させると、コンピュータは、カード所有者の詳細を含む．ｖｃｆファイルをペン所有者に属するカード受信者に送信する。オプションのペンを使用すると、．ｖｃｆファイルは携帯電話のキーパッドに示されている、または関連付けられたフィールド内の名刺に書き込まれた、あるいは他の方法で記された受信者に送信される。ペンは、例えばブルートゥース、携帯電話及びインターネットを介してワイヤレスでコンピュータと通信する。次の会議の日付と時刻、小さな図面またはスケッチ等の追加情報は、名刺の裏側に描画し、伝送に添付することができる。
2004508228.tif 000002
【特許請求の範囲】
【請求項１】
ビジネスカードが、仮想面で少なくとも一つの座標をコード化するように適合された位置コーディングパターンを備え、前記座標が詳細と関連付けられていることを特徴とする、企業の及び／または個人的な詳細などのビジネスカード所有者についての詳細を備えるビジネスカード。
【請求項２】
前記座標が例えば．ｖｃｆファイルなどのデジタル形式を取る前記詳細の記憶位置に対するポインタであることを特徴とする、請求項１に記載のビジネスカード。
【請求項３】
前記仮想面が複数のドメインに分けられ、その内の一つのドメインが、それぞれがビジネスカード所有者に対応する複数のアイデンティティ領域に分けられるアイデンティティ領域であることを特徴とする、請求項２に記載のビジネスカード。
【請求項４】
前記仮想面が、少なくとも一つの送信領域を有する機能ドメインをさらに備え、ビジネスカードが送信領域に対応する少なくとも一つの座標をコード化するように適合されたパターンを備えることを特徴とする、請求項３に記載のビジネスカード。
【請求項５】
前記仮想面が、少なくとも一つのメッセージ領域を備えるメッセージドメインをさらに備え、ビジネスカードが、メッセージ領域に対応する座標領域をコード化するように適合されたパターンを備えることを特徴とする、請求項３に記載のビジネスカード。
【請求項６】
前記仮想面がさらに、少なくとも一つのアドレス領域を備えるアドレスドメインを備え、ビジネスカードがアドレス領域に対応する座標領域をコード化するように適合されたパターンを備えることを特徴とする、請求項３に記載のビジネスカード。
【請求項７】
前記詳細及び／または前記情報が、企業の詳細、ビジネスカード所有者の詳細、ビジネスカード所有者の個人的な詳細、ビジネスカードに描画された図面または図形、ファイル及び文書の内の一つまたは複数から構成されることを特徴とする、先行する請求項のいずれか一項に記載のビジネスカード。
【請求項８】
ハンドヘルド装置が、例えば．ｖｃｆファイルなど前記詳細を含むファイルを備えるデータベースに、前記座標を送信するように適合される通信装置を備えることを特徴とする、先行する請求項のいずれか一項に記載のビジネスカードを備え、前述された位置コーディングパターンを検出し、前記パターンにより座標を計算するように適合されるペンなどのハンドヘルド装置をさらに備えるシステム。
【請求項９】
ビジネスカード受信者に、例えばｅ−メールまたはファクシミリの形を取るファイルを送信するように適合される通信装置により特徴付けられる、請求項８に記載のシステム。
【請求項１０】
ビジネスカード受信者の送信アドレスが、ペン所有者に属する前記ペンに関連付けられる詳細により定義されることを特徴とする、請求項９に記載のシステム。
【請求項１１】
ビジネスカード受信者の送信アドレスが、キーボードまたは携帯電話またはＰＤＡのキーパッドなどの入力装置を介して入力される詳細により定義されることを特徴とする、請求項９に記載のシステム。
【請求項１２】
ビジネスカード受信者の送信アドレスが、ペンで書き込まれてから解釈される定義された情報であることを特徴とする、請求項９に記載のシステム。
【請求項１３】
追加情報が、前記ペンによってビジネスカードに適用され、ビジネスカード受信者に通信され、任意にコピーがビジネスカード所有者及び／またはペン所有者に通信されることを特徴とする、請求項９から１２のいずれか一項に記載のシステム。
【請求項１４】
前記詳細及び／または前記情報が、企業の詳細、ビジネスカード所有者の詳細、ビジネスカード所有者の個人的な詳細、ビジネスカードに描画された図面またはグラフ、ファイル及び文書の内の一つまたは複数から構成されることを特徴とする、請求項８から１３のいずれか一項に記載のシステム。
【発明の詳細な説明】
【０００１】
（技術分野）
本発明は、ビジネスカードの分野に関する。
【０００２】
（従来の技術）
ビジネスカードは、企業についての詳細、及び特にカード所有者についての個人的な詳細を伝達するために仕事での付き合いで頻繁に使用される。また、これらの詳細は、ＭｉｃｒｏｓｏｆｔのＯｕｔｌｏｏｋなどのプログラムで、パーソナルコンピュータまたはＰＤＡ（パーソナルデジタルアシスタント）にデジタルで記憶される。
【０００３】
また、ビジネスカードは、例えばビジネスカードの所有者が代表する企業の信頼性、敏捷さ、効率等の感覚を引き起こすためなど、受信者に特定の感覚を生じさせるために設計されている。このような優良性は、多くの場合、商標及び紙質（コーティングされた紙等）、ロゴ、色、フォント、レイアウト等の多様なグラフィック手段を用いて伝えられる。
【０００４】
仕事上の交際の幅広い輪を持つ人々にとって、すぐに多数のビジネスカードが集まってしまう。現在では、ビジネスカードのコレクションを整理し、管理するための数多くの補助具が入手できる。
【０００５】
多くの場合、ビジネスカードの受信者は、ビジネスカードの詳細が自分自身のコンピュータに転送されることを望んでいる。これは、詳細をアナログフォーマットからデジタルフォーマットに変換しなければならないことを意味する。
【０００６】
このようにして、ビジネスカードを読み取ること、詳細をＯＣＲ（光学式文字認識）にかけること、及びコンピュータプログラムへの自動入力用の標準フォーマットにそれらを転送すること専用であるスキャナが使用できる。ビジネスカード上の電話番号とｅ−メールアドレスなどの一定の詳細は非常に小さなフォントを使用して印刷されているという事実のために、光学式文字認識が、多くの場合信頼できないか、あるいは完全に無駄であるという問題が生じる。さらに、ロゴと象徴的な印を使用することで、ＯＣＲプログラムに対する問題が生じる可能性がある。
【０００７】
別の可能性は、ポータブルコンピュータまたは多くの場合ＩＲ（赤外線）通信ポートを備えるＰＤＡの間で通信を使用することである。ＰＤＡの所有者がＰＤＡをＰＤＡの受信者に向け、ボタンを押すと、ビジネスカードの詳細はデジタルフォーマット、つまり「デジタルビジネスカード」で、伝送側ＰＤＡから受信側ＰＤＡに転送される。この技法は、今日、例えばパームパイロットにより使用されている。
【０００８】
とりわけ互換性の問題、つまりビジネスカード所有者と受信者の両者ともに同じ型のＰＤＡ、または少なくとも互換性のあるＰＤＡを持たなければならないために、前記技術は一般的に受け入れられるに至っていない。ディスプレイに表示される視覚的な証拠以外、詳細が転送されたという視覚的な証拠も得られないだろう。このようなデジタルビジネスカードは完全に標準化されているため、それらはビジネスカードの重要な機能の一つである受信者に特別な感情を伝えることができない。したがって、多くの場合、通常の名刺が、「デジタル」ビジネスカードと平行して使用されている。
【０００９】
したがって、従来のビジネスカードの通信を、詳細のデジタル転送に結合するが、光学式文字認識により生じる欠点を持たない技法に対するニーズがある。
【００１０】
（発明の開示）
本発明は、従来のビジネスカードとして設計されているが、光学式文字読み取りを行わずに円滑にデジタルフォーマットで受信者にビジネスカードの詳細を転送できるビジネスカードを提供することによりこの問題を解決することを目的としている。
【００１１】
ビジネスカードを手渡すとき、受信者は多くの場合、ビジネスカードの裏側にいくつかメモを書いたり、スケッチを描く。受信者とビジネスカードの所有者が同じ情報を持つために、これらのメモがビジネスカード所有者にコピーされるならば、それは関心があるということだろう。しかしながら、大部分の場合、回りにはコピー機はなく、通常、情報は複製されず、ビジネスカード所有者は情報を覚え、後にそれを書き残そうとするものの、それは往々にして行われない。
【００１２】
したがって、受信者が同じ情報を持ったビジネスカードを持ち続ける一方で、ビジネスカードの裏側に書き込まれる情報をカード所有者に送信する自動コピー機能に対するニーズがある。
【００１３】
ビジネスカードの受信者は、後日使用するために情報が裏側に書き込まれたビジネスカードを持ち続ける。しかしながら、時としてビジネスカードが情報とともに消えてしまうことも起こる。
【００１４】
本発明がさらに発展していく中では、ビジネスカード受信者だけではなく、ビジネスカード所有者にも同じ情報が送信され、それにより物理的なビジネスカードの消失が重要ではなくなることが重要だろう。
【００１５】
記録される情報には、時間と場所を示す、決まった会議の文字がある場合がある。ビジネスカードの裏側には、この情報を特定のボックスの中に記入する書式がある場合がある。また、これは例えば次の約束を示すために歯医者によって使用されることもある。追加の例は、ビジネスカードに、製品パンフレットの送付または標準型の機密保持契約（ＮＤＡ）などの事前に選択された選択肢についてのチェックボックスがある場合である。
【００１６】
ｅ−メールとして記録された情報を転送することが重要である可能性もあり、その結果、情報が転送される予定のｅ−メールアドレスが述べられなれなければならない。情報がカード所有者に送信される場合、カード上の詳細を使用することができるが、情報がオプションの受信者、あるいは特別な電話番号のファックスに送信される場合、これはビジネスカード上に示され、解釈され、通常光学式文字認識またはインテリジェント文字認識にかけられなければならない。したがって、ビジネスカードに、インテリジェント文字認識を容易にする特別なフィールド、いわゆる数字または文字などの一文字及び一文字だけが許されているコームが入ったボックスまたはパーティションが備えられる場合がある。このような「コーム」はカードの側縁に沿ってその裏に配置することができる。
【００１７】
情報が携帯電話またはＰＤＡによって送信される場合では、携帯電話のキーパッドがファックス番号またはｅ−メールアドレスを示すために使用できる。代わりに、入力された、あるいは本来の場所で入力されている場合には携帯電話の住所録の詳細を使用することもできる。追加の代替策は、ＰＤＡ等の入力装置を使用する間の相当する活動である。
【００１８】
本発明によると、情報は、ビジネスカードの前面及び裏側の一部、あるいはその前面及び／または裏側全体に印刷される位置コーディングパターンを使用して伝送される。パターン用の読取装置が備えられた読み取りペンが、パターンに従って情報を読み取るために使用される。パターン及び前述された機能を有効にする読み取りペンの一例が、出願人に譲渡されているスウェーデン国特許出願番号第９９０１９５４−９号及び第９９０３５４１−２号に説明されている。
【００１９】
本発明の追加の目的、特徴及び優位点は、図面に関する本発明のさまざまな実施形態の以下の詳細な説明からさらに詳しく明らかである。
【００２０】
（発明の実施形態の詳細な説明）
最初に、図１、図２、及び図３に関して本発明に従って使用される位置コーディングパターンが説明される。次に、図４に関して本発明に従ってビジネスカード上で書き込むために使用できるペンの形を取るハンドヘルドデバイスが説明される。
【００２１】
図１は、その表面２上に、位置の決定を可能にする光学的に読み取り可能な位置コーディングパターン３が備えられる用紙１の形を取る製品の一部を示している。位置コーディングパターンは、その外観を「図案化」させるように、表面２全体に体系的に配列される記号４から成り立っている。前記用紙は、ｘ座標軸とｙ座標軸を有する。このケースでは、位置の決定は製品の表面全体で実行できる。他のケースでは、位置の決定を可能にする表面が製品のさらに小さな部分から成り立っている可能性がある。例えば、用紙は、表面上に書き込まれている、あるいは描画されている情報の電子的な描写を生成するために使用できる。電子的な描写は、表面にペンで書き込んでいる間に、位置コーディングパターンを読み取ることにより用紙上のペンの位置を連続的に決定することで生成できる。
【００２２】
位置コーディングパターンは、したがって人間の目には見えないし、表面上の位置を決定することになるデバイスも直接的に検出できない仮想ラスタ、及びそれぞれが後述されるように４つの値「１」から「４」の内の１つを取ることができる複数の記号４を有する。明快さのために、図１の位置コーディングパターンがかなりの程度まで拡大されていることをここで強調する必要がある。さらに、位置コーディングパターンは用紙の一部だけに示されている。
【００２３】
位置コーディングパターンは、書き込み面上の部分的な表面の位置がこの部分的な表面上の記号によりコード化されるように配列されている。第１の部分的な表面と第２の部分的な表面５ａ、５ｂは、図１中で実線により示されている。第１の部分的な表面５ａで検出されることになる位置コーディングパターンのその部分（このケースでは４ｘ４の記号）は第１位置をコード化し、第２の部分的な表面５ｂ上で検出されることになる位置コーディングパターンのその部分は第２位置をコード化する。したがって、位置コーディングパターンは、隣接している第１位置と第２位置により部分的に共用されている。このような位置コーディングパターンは、本出願中では「浮動」と呼ばれている。
【００２４】
図２ａから図２ｄは、本発明に従って位置コーディングパターンで使用できる記号の実施形態を示す。記号は、ラスタ線の間の交差により表現される仮想ラスタポイント６、及び点の形を有するマーク７を有する。記号の値は、マークがどこに位置しているのかに左右される。図２の例では、ラスタポイントから伸びるラスタ線のそれぞれ上にある４つの位置が考えられる。ラスタポイントからの変位は、すべての値にとって等しく大きい。以下では、図２ａの記号は値１を有し、図２ｂでは値ｃを有し、図２ｃでは値３を有し、図２ｄでは値４を有する。換言すれば、４つの異なる種類の記号がある。
【００２５】
このようにして、各記号は４つの値「１から４」を表現できる。つまり、位置コーディングパターンは、ｘ座標の第１位置コード、及びｙ座標の第２位置コードに分割できる。分割は以下のように達成される。
【００２６】
2004508228.tif 000003
【００２７】
各位置は、複数の記号によりコード化されている。この例では、二次元、つまりｘ座標とｙ座標で位置をコード化する為に４ｘ４記号が利用される。
【００２８】
位置コーディングは、４つのビットのシーケンスが数列の中に２回以上現れないという特徴がある１とゼロの数列によって構成されている。数列は周期的である。つまり、数列の最後を数列の始まりに連結するときにも前記特徴が当てはまることを意味する。したがって、４ビットのシーケンスは、つねに数列内に明らかに決められた位置を有する。
【００２９】
数列は、それが４つのビットのシーケンスについて前述された特徴を持つのであれば、最大１６ビットの長さになりえる。しかしながら、この例では、以下のように長さが７ビットしかない列が使用されている。
【００３０】
０　０　０　１　０　１　０
数列は、数列内の位置を以下のようにコード化する４つのビットの７つの一意のシーケンスを含んでいる。
【００３１】
2004508228.tif 000004
【００３２】
この例では表面上のそれぞれの位置は４ｘ４の記号でコード化されるので、ｘ座標をコード化するために前述されたような（値０から６を有する）３つの差異が使用できる。次に、３つの差異の内、一方はつねに値１または２を有し、他方は範囲３から６の値を有するようにコード化が実行される。結果的に、ｘコードでは差異がゼロになることはありえない。つまり、ｘコードは、差異が（３−６）（３−６）（１−２）（３−６）（３−６）（１−２）（３−６）（３−６）（１−２）のようになるように構造化されている。したがって、各ｘ座標は、３と６の間の２つの数と、１または２であるそれに続く数でコード化される。３が大きい数から差し引かれ、１が小さい数から差し引かれると、以下の例に示されるように、ｘ座標を直接的に決定できるｘ方向の位置を直接的に生じさせる混合基底の数が得られる。
【００３３】
したがって、前述された原理によって、ｘ座標０、１、２．．．を、３つの差異を表す数を用いてコード化することができる。これらの差異は前記数列に基づくビットパターンでコード化される。ビットパターンは、最終的には、図２中の記号によって図形的にコード化できる。
【００３４】
多くの場合では、４ｘ４の記号を読み取るときに、ｘ座標をコード化する完全数を生じさせることができるのではなく、２つの数の部分を生じさせることができる。しかしながら、数の最少桁の部分はつねに１または２であるため、完全数は容易に再構築できる。
【００３５】
ｙ座標はｘ座標について使用されるのと同じ原理に従ってコード化される。周期的な数列が、位置コード化されることになる表面を横切る水平の行の中に繰り返し書き込まれる。まさにｘ座標の場合のように、行は、数列内で異なる位置で、つまり異なるシーケンスで始まることができる。しかしながら、ｙ座標の場合、差異を使用するのではなく、各行での数列の開始位置に基づく数で座標をコード化する。４ｘ４の記号のｘ座標が決定されると、事実上、４ｘ４記号中のｙコードに含まれる行について数列内の開始位置を決定することができる。ｙコードでは、最上位桁は、これを指定された範囲内で任意の値を有するただ一つの１にすることにより決定される。この例では、４の１行を数列中の位置０−１で開始させ、この列がｙ座標中の最少桁に関係することを示し、他の３行は位置２−６で開始させる。従って、ｙ方向では、（２−６）（２−６）（２−６）（０−１）（２−６）（２−６）（２−６）（０−１）（２−６）．．．の数の列がある。このようにして、各ｙ座標は２と６の間の３つの数と、０と１の間のそれに続く数でコード化される。
【００３６】
０が小さい数から差し引かれ、２が大きい数から差し引かれると、ｘ方向に関してと同じように、直接的にｙ座標を決定できる混合基底のｙ方向での位置を得る。
【００３７】
前記方法を用いて、ｘ方向の４ｘ４ｘ２＝３２の位置をコード化することができる。このようなそれぞれの位置は３つの差異に相当し、３ｘ３２＝９６の位置を示す。さらに、ｙ方向では５ｘ５ｘ５ｘ２＝２５０の位置をコード化することができる。このようなそれぞれの位置は４行に相当し、４ｘ２５０＝１０００の位置を示す。したがって、総計で、９６０００の位置をコード化することが可能である。ただし、ｘコード化は差異に基づいているため、第１の数列が開始する位置を選択することができる。この第１の数列が７つの異なる位置で開始できることを考慮に入れると、７ｘ９６０００＝６７２０００の位置をコード化できる。第１列内の第１数列の開始位置は、ｘ座標が決定されたときに計算することができる。第１数列の前述された７つの異なる開始位置は、異なる用紙または製品上の書き込み面をコード化してよい。
【００３８】
本発明をこの実施形態に従ってさらに説明する目的で、以下に位置コードの説明された実施形態に基づく特定的な例を示す。
【００３９】
図３は、位置決定用のデバイスにより読み取られる４ｘ４の記号のある画像の例を示す。
【００４０】
これらの４ｘ４の記号は以下の値を有する。
【００４１】
４　４　４　２
３　２　３　４
４　４　２　４
１　３　２　４
これらの値は、以下に示すバイナリｘコードとバイナリｙコードを表す。
【００４２】
Ｘコード　　　　　　　　　 Ｙコード
０　０　０　０　　　　　　 ０　０　０　１
１　０　１　０　　　　　　 ０　１　０　０
０　０　０　０　　　　　　 ０　０　１　０
１　１　０　０　　　　　　 １　０　１　０
垂直のｘシーケンスは、数列内の２　０　４　６の位置をコード化する。列の間の差異は−２　４　２となり、それは７を法として、混合基底で位置（５−３）ｘ８＋（４−３）ｘ２＋（２−１）＝１６＋２＋１＝１９をコード化する５　４　２を示す。第１のコード化されたｘ位置は位置０であるため、範囲１−２にあり、４ｘ４記号中で見られることになる差異は１２番目のこのような差異である。さらに、このような差異ごとに合計３つの列があり、一つの開始列があるため、４ｘ４のｘコード内で最も右側にある垂直シーケンスはｘコード（３ｘ２０＋１＝６１）の第６１番目の列に属し、最も左側にある垂直シーケンスは第５８番目の列に属する。
【００４３】
水平ｙシーケンスは、数列内の位置０　４　１　３をコード化する。これらの数列は第５８番目の列で開始するため、行の開始位置はこれらの数から７を法として５７を差し引いた位置であり、それが開始位置６　３　０　２を生じさせる。混合基底の数に変換されると、これは、第３桁が未解決の数の最少桁である６−２、３−２、０−０、２−２＝４　１　０　０になる。次に、第４桁は次の数の最上位桁である。この場合では、それは未解決の数と同じなければならない（例外のケースは、未解決の数がすべての位置で考えられる最高の桁から成り立っているときである。そのとき、次の数の始まりは未解決の数の始まりより１大きいことが知られている）。
【００４４】
次に、４つの桁の数の位置は、混合基底で０ｘ５０　＋　４ｘ１０　＋　１ｘ２　＋　０ｘ１＝４２となる。
【００４５】
したがって、ｙコード中の第３行は、開始位置０または１を有する第４３番目であり、このような各行のすべてにおいて４行があるため、第３行は数４３ｘ４＝１７２である。
【００４６】
したがって、この例では、４ｘ４記号グループの最上の左角の位置は（５８、１７０）である。
【００４７】
４ｘ４グループ内のｘシーケンスは行１７０で開始するため、パターン全体のｘ列は７＝１　６　３　５を法として数列（（２　０　４　６）−１６９）の位置で開始する。最後の開始位置（５）と第１開始位置の間では、数０から１９が混合基底でコード化され、混合基底で数０から１９の表示を合計することにより、これらの列の間の合計差異を得る。このように行うための単純なアルゴリズムは、これらの２０の数を生成し、それらの桁を直接合計することである。結果として生じる合計はｓと呼ばれる。次に、用紙または書き込み面が７を法として（５−ｓ）で示されるだろう。
【００４８】
前記例では、それぞれの位置が４ｘ４記号でコード化され、７ビットのある数列が使用される実施形態が説明されている。言うまでもなく、これは一例にすぎない。位置は、記号のさらに大きな数またはさらに小さな数でコード化できる。記号の数は両方向で同じである必要はない。数列は異なる長さとなる場合があり、バイナリである必要はないが、別の基底に基づいてよい。さまざまな数列がｘ方向でのコード化とｙ方向でのコード化に使用できる。記号はさまざまな値の数を有することができる。
【００４９】
前記の例では、マークは点であるが、言うまでもなく塗りつぶされている、あるいは塗りつぶされていない円、正方形、矩形、三角形などの違う外観を有してよい。例えば、それは仮想ラスタポイントで開始し、そこから所定の位置まで伸びるダッシュ記号から成り立ってよい。
【００５０】
前記例では、正方形の部分的な面の中の記号が位置をコード化するために使用されている。部分的な表面は、六角形などの別の形を有してよい。記号は互いに９０°の角度で行と列で配列される必要はなく、なんらかのほかの方法で配列することもできる。極座標などの他の座標系も使用できる。
【００５１】
位置コードが検出されるためには、仮想ラスタが決定されなければならない。これは、さまざまなマーク間の距離を検討することにより実行できる。２つのマーク間の最短距離は、マークが２つのラスタポイント間の同じラスタ線上になるように、値１と３を有する２つの隣接する記号から得られなければならない。このような一組のマークが検出されると、ラスタポイント間の距離及びラスタポイントからのマークの変位に関する知識で、関連付けられたラスタポイントを決定することができる。２つのラスタポイントがいったん配置されると、他のマークまでの測定された距離によって、及びラスタポイントの相対位置の知識で追加のラスタポイントを決定できる。
【００５２】
位置決定用のデバイスの実施形態が図４に図示されている。前記デバイスは、ほぼペンの形状を有するケーシング１１を備える。該ケーシングの一方の短い辺には、開口部１２がある。短い辺は、位置決定が行われることになる表面に当接するか、あるいは表面から短距離に配置されることが意図される。
【００５３】
ケーシングは、基本的に光学部品部分、電子回路構成要素部分、及び電源を備える。
【００５４】
光学部品部分は、映像化される予定の表面を照明するための少なくとも一つの発光ダイオード１３、及び二次元画像を記録するためのＣＣＤまたはＣＭＯＳセンサなどの感光性領域センサ１４を備える。デバイスはレンズ系を備えてもよい。
【００５５】
デバイスの電源は、ケーシング内の別個のコンパートメントに装着される電池１５から得られる。
【００５６】
電子回路構成要素部分は、センサ１４により記録される画像に基づき位置を決定するための画像処理手段１６、及び詳細にはセンサから画像を読み取り、これらの画像を基に位置決定を実行するようにプログラミングされるプロセッサ付きのプロセッサ装置を備える。
【００５７】
本実施形態では、デバイスはペン先１７も備え、それを用いて通常の染料を基にした書き込みを、位置決定が実施される表面上に書き込むことができる。ペン先１７は、それを使用する必要があるかどうかをユーザが管理できるように伸縮自在である。一定の用途では、デバイスはまったくペン先を有する必要はない。
【００５８】
さらに、デバイスはユーザがデバイスを起動、制御するために使用するボタン１８を備える。それは、例えばＩＲ（赤外線）光または電波を使用して、デバイスへの及びデバイスからの情報を無線転送するためのトランシーバ１９も備える。デバイスは、位置または記録された情報を示すためのディスプレイ２０を備えることもできる。
【００５９】
出願人のスウェーデン国特許番号第９６０４００８−４号は、テキストを記録するためのデバイスを説明している。このデバイスは、適切にプログラミングされている場合、位置決定に使用できる。それが染料を基にした書き込みのために使用される場合、それはペン先も有さなければならない。
【００６０】
デバイスはさまざまな物理的なケーシングに分けることができ、第１ケーシングは、位置コーディングパターンの画像を捕捉するために、及び第２ケーシング内に位置し、記録される一つまたは複数の画像を基に位置決定を実行する構成部品にそれらを転送するために必要とされる構成部品を備える。
【００６１】
前述されたように、位置決定は、このようにしてソフトウェアに画像内の記号の位置を突き止めさせ、復号させ、このようにして得られたコードを基に位置を決定させなければならないプロセッサにより実行される。当業者は、前記例から始めて、位置コーディングパターンの部分の画像に基づき位置決定を実行するソフトウェアを設計できる。
【００６２】
さらに、当業者は、前記説明に基づいて、位置コーディングパターンを印刷するためのソフトウェアを設計できる。
【００６３】
前記実施形態では、パターンは光学的に読み取り可能であり、従ってセンサは光学的である。前述されたように、パターンは、化学、電磁等の光学パラメータ以外のパラメータに基づくことができる。明らかに、その場合、センサは問題のパラメータを読み取ることができる型でなければならない。
【００６４】
前記実施形態では、ラスタは、チェックのネットワークである。それは他の形を有することもある。
【００６５】
前記実施形態では、考えられる最長の周期的な数列は使用されない。したがって、例えば、入力された記号グループの回転を確認するために使用できる一定の量の冗長性が提供される。
【００６６】
前記パターン及びペンは、本発明で使用できる。
【００６７】
図１と図５は、通常、８５ｘ５５ｍｍなどの明確なサイズを有するビジネスカード２１の前面を示している。該ビジネスカードは、氏名、社内での肩書きまたは職務、直通電話、携帯電話、ｅ−メールアドレス等のカード所有者の詳細だけではなく、企業の名称と住所、電話番号とファックス番号等のカード所有者についての詳細も与えられている。さらに、多くの場合、商標、ロゴ、またはメッセージを伝達する役割を果たす象徴的な印もある。これらの詳細を含むビジネスカードの例は、図９に示されている。
【００６８】
本発明に従って、ビジネスカードの前面及び／または裏側には、さらに詳細に前述された位置コーディングパターンが入る矩形２２が備えられている。
【００６９】
簡略には、パターンは、０．３ｍｍの名目間隔のポイントまたは点から成り立っている。各ポイントは４つの直交方向の一つでその名目位置から０．０５ｍｍ変位している。６ｘ６のポイントが入った正方形は、ともに幾何学的な図を形成し、それを用いて、さらに詳細に前述された計算アルゴリズムによって仮想面上の座標を計算することができる。計算は、第１正方形に関して０．３ｍｍ以上変位している隣接する正方形が新しい座標をコード化するように浮動である。
【００７０】
読み取りペンを用いて、図４、６ｘ６のポイントのある前述の正方形が読み取られ、ペンは仮想面、つまり前述された座標上の位置を計算する。座標は、０．３ｍｍという精度で計算することができ、補間を用いると約１０倍精度を高めることができる。
【００７１】
読み取りペンには、好ましくは、ポイントのパターンを読み取る光学センサ、及びなんらかの画像処理及び座標の計算を実行するプロセッサが備えられる。座標値、つまり通常ペンの位置のｘ座標とｙ座標は、無線伝送を介してペンにより、座標に依存して測定を実行するコンピュータに転送される。
【００７２】
座標によりコード化できる表面は、一定の機能に関係付けることができる領域を含む機能ドメインなどの複数の領域またはドメイン、及び人々のアイデンティティに関係付けることができる領域を含む一つのアイデンティティドメインに分けられる。さらに、一般的な使用のための領域がある一つの汎用ドメインがある。機能ドメインに属する座標は、少なくともいくつかの領域では、ペンのプロセッサによって注目可能で、後述されるように、ペンに一定の処置を講じさせる。
【００７３】
前述されたように、及び図５から明白であるように、ビジネスカードは前述された位置コーディングパターンを備えた矩形２２つまりボタンを含む。ボタンは、２つの領域２３と２４に分けられ、左側のボタン２３は機能ドメインに属する所定の座標領域内にパターンを含み、右側のボタン２４はアイデンティティドメインに属する所定の座標領域内にパターンを含む。ボタン２２の左半分は、さらに下記に詳細に説明される送信ボタンとしてペンのプロセッサにより認識されるように適合されている。ボタン２２の右半分は、ビジネスカードの所有者に一意であるが、ビジネスカード所有者に属するすべてのビジネスカードにとって同じであるアイデンティティ領域となるように適合されている。
【００７４】
ボタン２２は、ペンの所有者であるビジネスカード所有者に、．ｖｃｆファイルまたは．ｖｃｓファイルに記憶されたビジネスカード所有者の詳細を送信するために使用されることを目的とする。それから、活動の次のシーケンスが起こる。
【００７５】
ビジネスカード受信者のペンがビジネスカード所有者のビジネスカード上のボタン２２の上を通されると、ペンはボタン２２に位置するポイントの座標を記録する。ペンは図５では左から右に動かされ、最初に機能領域を、次にアイデンティティ領域を記録する。このケースでは、機能領域は、ペンが過去に受信した情報を伝送しなければならないことを示すドメインに属している。ペンのアイデンティティ、呼び出されるペンのＩＤ、送信ボタン領域からの少なくとも一つの座標、及びアイデンティティ領域からの少なくとも一つの座標という構成要素を含むデータパケットをパケット化するペンの中のプログラムが起動される。これは、ペンが送信ボタンの起動までに記録した情報である。
【００７６】
このデータパケットは、無線接続を介してコンピュータに送信される。コンピュータは、前記データパケットを受信する受信者、及びデータパケットを以下の通りに解釈するプログラムを備える。つまり、プログラムは、特定のアイデンティティ領域と関連付けられるビジネスカード所有者に属する．ｖｃｆファイルを含む、ｅ−メールをペン所有者、つまりビジネスカード受信者に送信するプログラムシーケンスに送信ボタン領域を関連付けるデータベースを備える。ペンＩＤ及びアイデンティティ領域は、特定の個人と関連付けられる前記データベース内にある。このようにして、データベース及びコンピュータプログラムにより、ｅ−メールは、ビジネスカード所有者の詳細とひとまとめにされ、ｅ−メールのアドレス行に挿入されるペン所有者のｅ−メールアドレス単位で、ビジネスカード受信者に送信され、ビジネスカード所有者の．ｖｃｆファイルは添付物、つまり添付ファイルとして添付される。シーケンス全体は、光学式文字読み取りを行わずに実行される。
【００７７】
所望される場合、プログラムは、ｅ−メールのｃｃ行またはｂｃ行にビジネスカード所有者のｅ−メールアドレスを挿入するプログラム列も含んでよいため、その結果、ｅ−メールのコピーはビジネスカード所有者にも送信される。このようにして、ビジネスカード所有者は、自分の詳細つまり．ｖｃｆファイルが、ペン所有者のｅ−メールアドレスだけではなく、ペン所有者にも送信された確認を受け取る。
【００７８】
言うまでもなく、ペンからコンピュータへの転送は、技術で周知である方法でインターネットを介して行われてよい。したがって、ペンは、適切に、インターネットサービスプロバイダ（ＩＳＰ）を介してインターネットに接続されるサーバまたは別のコンピュータにデータパケットを送信する、例えば携帯電話またはモデム付きコンピュータなどの手近にあるブルートゥース受信者にデータパケットを送信するブルートゥース送信機を備える。サーバは、次にパーソナルコンピュータにデータパケットを送信するか、あるいはそれ自体前述された機能を実行してよい。
【００７９】
前述された６ｘ６の行列によって形成できる座標領域は非常に大きく、全世界のあらゆる人と企業のアイデンティティ領域を含むことができる。ビジネスカードが印刷されるとき、ビジネスカード所有者は、特に、自分の．ｖｃｆファイルのためのポインタを含む個人アイデンティティ領域を割り当てられる。
【００８０】
前述された機能は、ビジネスカード所有者のアイデンティティ領域と関連付けられる．ｖｃｆファイル、及びペン所有者の詳細の両方が、ペンＩＤを介してデータベースに記憶されることを必要とする。
【００８１】
ビジネスカード所有者がペンを有しておらず、その為データベースに詳細を記憶していない受信者に会うと、前記の簡略な機能を達成することはできない。
【００８２】
したがって、ビジネスカードの裏側には、図６に関して説明される強化された機能性が与えられている。
【００８３】
この場合では、ビジネスカード受信者が前述の機能性を備えたペンを持っていないと仮定される。しかしながら、ビジネスカード所有者はおそらくこのようなペンを持っているか、あるいはこのようなペンを持っている同僚が回りにいるだろう。このようにして、ここではオプションのペンを使用できる。
【００８４】
カードの裏側には、基本的に面全体に前述された位置コーディングパターンが付いている。裏側は、基本的に２つの領域、つまり一つのメッセージフィールド２５及び前面のボタン２２と同種の送信ボタン２６を備える。このようにして、送信ボタンは、機能領域２７とアイデンティティ領域２８に分けられる。
【００８５】
ビジネスカード所有者の詳細をオプションの受信者に送信するために、メッセージフィールド２５は、以下の通りにファックス番号またはｅ−メールアドレスを入力するために使用される。
【００８６】
メッセージフィールドには、オプションのメッセージがペンを用いて手で書き込まれる。図６では、「Ｋｒｉｓｔｏｆｅｒ　０７３３７０４０７０」が書き込まれた。メッセージが書き込まれているとき、ペンは、センサを用いて、例えば毎秒１００回ポイントのパターンを検出することによりペンの位置の座標を連続的に検出する。その結果、ペンがメッセージフィールド２５、つまりペンの移動のグラフ上で実行した移動の経路つまりシーケンスに一致する座標点のシーケンスが記録される。
【００８７】
それ以後、送信ボタン内でペンを用いてストロークが書かれ、その結果アイデンティティ領域だけではなく機能領域も検出される。
【００８８】
機能領域が検出されると、ペンはデータパケットを、ペンＩＤ、機能領域、アイデンティティ領域、及びペンによって通過されるグラフ、いわゆるペングラフに一致するメッセージフィールド内の座標数という情報とひとまとめにする。データパケットは、前述されたように、前述されたデータパケットを解釈できるプログラムを含むコンピュータネットワーク内のコンピュータまたはサーバに送信される。どのプログラムが使用されるのかは、送信ボタンが属する機能領域によって決定される。
【００８９】
次に、プログラムは以下の手段のシーケンスを実行する。プログラムは、ペングラフを通過して、インテリジェント文字認識にかけられるときに、ペングラフの一部がファックス番号に一致する数のシーケンスとして解釈されてよいのか、あるいはｅ−メールアドレスに一致する文字のシーケンスとして解釈されてよいのかをチェックする。数のシーケンスが検出されると、これは、あたかもファックスがこのファックス番号に送信されるかのように解釈される。次に、プログラムが、ファックスを、データパケットのアイデンティティ領域と関連付けられる．ｖｃｆファイル内で入手できる企業及び個人の詳細とファックスをひとまとめにし、それをファックス番号に送信する。同時に、ビジネスカード所有者のファックス番号に第２のファックスを送信することができ、前記ファックスはペングラフ（代わりに、ｅ−メール、以下参照）の複製を含む。インテリジェント文字認識が＠文字を検出すると、それは隣接する文字をｅ−メールアドレスとして解釈し、添付物としてビジネスカード所有者の．ｖｃｆファイルとともに、及び要すれば同時に、ｃｃまたはｂｃでビジネスカード所有者に対するコピーとともにこのアドレスにｅ−メールを送信する。ビジネスカード所有者に対するｅ−メールは、同時に添付物として、ペングラフを含む画像ファイルを含むことができる。インテリジェント文字認識が失敗すると、プログラムはペングラフを含む画像ファイルとともにビジネスカード所有者にｅ−メールを送信するだけである。それから、ビジネスカード所有者は画像ファイルを開き、画像ファイル内の文字を手動で解釈し、受信者にファックスまたはｅ−メールを手動で送信できる。追加の代替策は、画像ファイルを、ビジネスカード所有者と同じ方法でペングラフを手動で解釈する秘書機能に送信することである。キーボードまたは携帯電話の住所録も、ＰＤＡの同等物も使用できるように使用できる。
【００９０】
インテリジェント文字認識を容易にするために、試行されるインテリジェント文字認識のためにファックス番号またはｅ−メールアドレスに下線を付す、あるいは線を引いて抹消するという命令を使用できる。下線を付すことの代替策は、アドレスを矩形または楕円などのなんらかの他の閉じられた図形で取り囲むことである。
【００９１】
アドレスを、ｅ−メールアドレスまたはファックス番号などのアドレス詳細だけを含むように事前に決められた特殊フィールドに書き込まれなければならないことが有利である場合がある。このような領域は、多くの場合、光学式文字認識に関連する場合と同様に、ただ一個の文字または数だけがそれぞれのパーティション内に書き込まれなければならない複数のパーティションから成り立つ「コーム」から構成される場合がある。
【００９２】
ある状況では、ペンのプロセッサがインテリジェント文字認識または少なくともその部分を実行することが適切である。ペンのプロセッサと外部コンピュータまたはサーバの間での作業の分散は変えられてよい。
【００９３】
前記例では、送信ボタンは機能領域とアイデンティティ領域と結合された矩形である。これらのボタンの順序は、矩形内で書かれるストロークが、両方の領域の座標を読み取ることができるように、両方の領域を交差する限り任意の順序であってよい。機能領域及びアイデンティティ領域は、それぞれ単独の座標、または形成された領域に一致する座標領域から構成されてよい。
【００９４】
メッセージフィールドはアイデンティティ領域に属することができ、その場合、フィールド内のすべての座標はカード所有者に関係する。代わりに、メッセージフィールドは、汎用ドメインからの領域である。情報は、送信ボックスを起動する直前に、つまり送信ボックスの２回の起動の間に描画されるので、次に、データパケットの中への挿入が行われる。
【００９５】
追加の代替策は、送信ボタンの起動が送信領域、アイデンティティ領域及びメッセージ領域を互いにリンクするように、メッセージフィールドが送信ボタン内で下方に広がることである。
【００９６】
図７は、前面にアドレスフィールド２９、及び前述された送信ボタン２２に対応する送信ボタン３０を備えたビジネスカードを示す。裏側には、図８参照、注記等のためにさらに多くの空間がある。図８は、日付、時間、タスク及びコメントのある簡略な形式３１を示す。該形式は会議の詳細を述べるために使用したり、歯科医が次の予約を記載するために使用される。前面または裏側の送信ボタンが起動されると、ｅ−メールまたはファックスが前面に述べられた住所に送信される。アドレスが前面に述べられていない場合、ｅ−メールはペン所有者のｅ−メールアドレスに送信され、コピーはビジネスカード所有者に送信される。ペングラフを含む画像ファイルが添付される。該書式は、Ｏｕｔｌｏｏｋタイプのコンピュータプログラム、または歯科医または実行リスト等によって使用されるデータベースプログラムへの接続を備えてよい。
【００９７】
追加代替策の実施形態では、ビジネスカードはｅ−メールに追加情報を含むかどうかを示すチェックボックスを備えてよい。例は、プライベートアドレスの詳細のためのチェックボックスである。つまり、企業の住所と電話番号等に加えて、プライベートアドレス、電話番号、ｅ−メールアドレス等についての詳細も送信されるだろう。これらの個人的な詳細は物理的な名刺上で入手できる必要はないが、データベースに記憶されるか、あるいはサーバまたはコンピュータによってソースからフェッチされなければならない。チェックボックスは、例えば、製品情報または標準型の機密保持契約等の特殊な文書をｅ−メールに添付する必要があるなどの他の情報に使用可能である。
【００９８】
追加の機能性はビジネスカードの中に相対的に容易に統合できる。例はビジネスカード所有者に対する「ダイヤルされない（ｎｏｎ−ｄｉａｌｌｅｄ）コネクション」である。ビジネスカード受信者は自分のビジネスカードのコレクション（または財布）の中からビジネスカードを出し、ビジネスカード所有者に電話をかけることを希望する。彼は携帯電話を取り出し、ビジネスカード上の電話番号を手動で読み取り、それを携帯電話に入力する。しかし、特に電話番号が小さなフォントで書き込まれており、暗い、あるいは多くの高齢者に起こるように、ビジネスカード所有者が自分に近いテキストを読むのに困難を感じる場合、うまく行かない相対的に大きなリスクがある。
【００９９】
前面に、ビジネスカードは、ペンがフィールドの上を通されると、電話番号を、次に呼出がセットアップされた後にそれを携帯電話に無線通信を介して転送するペンに転送させる電話番号フィールドを備えてよい。代わりに、ビジネスカード受信者は、携帯電話のボタンを押し、呼出がセットアップされる。前述された電話番号フィールドは、それぞれが単一のＡＳＣＩＩコードに結び付けられている１２８または２５６の領域がある、いわゆるＡＳＣＩＩドメインに属することができる。ペンがＡＳＣＩＩドメインに属する座標を検出すると、座標または領域をＡＳＣＩＩコードに変換するペンの中のプログラムが起動される。したがって、電話番号フィールドは、それぞれが対応するＡＳＣＩＩ領域に属するパターンを備えるボックスの列から構成されている。電話番号フィールドは、先行する座標がＡＳＣＩＩドメインによって解釈されてから、携帯電話に送信されなければならないことを述べる機能領域で終了できる。ペンによって電話番号に変換できる他の種類のコードを使用することもできる。前述された機能は、外部コンピュータを使用しなくても、ペンと携帯電話間の通信だけによって完全に実行できる。同じ原理は、記号ドメインに含まれているさまざまな種類の記号を解釈するために使用できる。次に、記号は、ユーザに、彼が何をしているのかについてのフィードバックを与えるためのビジネスカード上の対応する領域に印刷できる。
【０１００】
ペンに含まれるタイムスタンプを使用することによって、ビジネスカードが手渡された時点についての情報も含むことができる。
【０１０１】
ペンのプロセッサと外部コンピュータまたはサーバの間でのある程度の作業の分散は、上記されている。言うまでもなく、サーバまたはコンピュータに関係付けられている機能性の一部は、ペンのプロセッサによって実行できるし、逆もまた同様である。
【０１０２】
ペン所有者がビジネスカード所有者でも、ビジネスカード受信者でもないが、彼らの内の一方の同僚である可能性がある場合では、同じあるいは類似した詳細及び情報を三者全員に送信できる。
【０１０３】
機能ボタンにより起動されたプログラムは、機能ボタンに含まれ、検出される一つまたは複数の座標により決定できる。代わりに、例えば「ｅ−メール」などの機能を機能ボタンに入れることが可能で、その結果、ペンまたはコンピュータまたはサーバによるインテリジェント文字認識の後にこの機能が実行される。認識を容易にするために、ｅ−メールのための＠など、容易に認識可能な記号を代わりに使用することができる。
【０１０４】
バーコードなどの他の種類のコード及び対応する読み取りペンだけではなく、他の種類の読み取りペンも使用できる。
【０１０５】
本発明によるビジネスカードに関係するいくつかの可能性が前述されてきた。多様な機能が、図面に描かれている方法以外の他の方法で結合できることが理解されるだろう。追加の可能性は、全体として概念の中に見出されなければならない。例えば、メッセージでさらにアイデンティティを強化するために、ロゴをｅ−メールまたはファックスに添付することができる。本発明は、添付クレームによってのみ制限される。
【図面の簡単な説明】
【図１】
位置コーディングパターンが備えられる製品の実施形態の概略図である。
【図２】
本発明の実施形態で記号をどのようにして設計できるのかを示す概略図である。
【図３】
位置をコード化するために使用される４ｘ４記号の例の概略図である。
【図４】
位置の決定のために使用できるデバイスの概略図である。
【図５】
パターンを読み取るための読み取りペン付きの、本発明に従って装置されるビジネスカードの前面を示す概略平面図である。
【図６】
図５によるビジネスカードの裏側を示す平面図である。
【図７】
図５によるビジネスカードより多くの機能を備えた、本発明に従って装置されたビジネスカードの前面を示す概略平面図である。
【図８】
図５によるビジネスカードの裏側を示す平面図である。
【図９】
図５による実施形態に対応する完全なビジネスカードの前面を示す平面図である。
【図１０】
図９によるカードの裏側を示す平面図である。
【図１】
2004508228.tif 000005
【図２】
2004508228.tif 000006
【図３】
2004508228.tif 000007
【図４】
2004508228.tif 000008
【図５】
2004508228.tif 000009
【図６】
2004508228.tif 000010
【図７】
2004508228.tif 000011
【図８】
2004508228.tif 000012
【図９】
2004508228.tif 000013
【図１０】
2004508228.tif 000014
【国際公開パンフレット】
2004508228.tif 000015
2004508228.tif 000016
2004508228.tif 000017
2004508228.tif 000018
2004508228.tif 000019
2004508228.tif 000020
2004508228.tif 000021
2004508228.tif 000022
2004508228.tif 000023
2004508228.tif 000024
2004508228.tif 000025
2004508228.tif 000026
2004508228.tif 000027
2004508228.tif 000028
2004508228.tif 000029
2004508228.tif 000030
2004508228.tif 000031
2004508228.tif 000032
2004508228.tif 000033
2004508228.tif 000034
2004508228.tif 000035
2004508228.tif 000036
2004508228.tif 000037
2004508228.tif 000038
2004508228.tif 000039
2004508228.tif 000040
2004508228.tif 000041
2004508228.tif 000042
2004508228.tif 000043
2004508228.tif 000044
2004508228.tif 000045
2004508228.tif 000046
2004508228.tif 000047
2004508228.tif 000048
【手続補正書】
【提出日】平成14年11月1日(2002.11.1)
【手続補正１】
【補正対象書類名】明細書
【補正対象項目名】特許請求の範囲
【補正方法】変更
【補正の内容】
【特許請求の範囲】
【請求項１】
ビジネスカードが位置コーディングパターンを備えることと、
ハンドヘルド装置が、ビジネスカード上の位置コーディングパターンを読み取り、仮想面上で少なくとも一つの座標を計算するように適合され、前記少なくとも一つの座標が位置コーディングパターンでコード化されることと、
ハンドヘルド装置が、前記少なくとも一つの座標と関連付けられるビジネスカード所有者についての前記詳細を含むファイルを備えるデータベースに、前記少なくとも一つの座標を送信するように適合される第１通信装置を備えることと、
システムが、ビジネスカード受信者の送信アドレスにファイルを送信するように適合される第２通信装置を備え、ビジネスカード受信者の前記送信アドレスが、ハンドヘルド装置の所有者について前記ハンドヘルド装置と関連付けられる詳細により定義されることと、
を特徴とするビジネスカード所有者についての詳細を備えるビジネスカード及びハンドヘルド装置を備えるシステム。
【請求項２】
前記ハンドヘルド装置に関連付けられる詳細がデータベースに記憶されることを特徴とする、請求項１に記載のシステム。
【請求項３】
ハンドヘルド装置が、前記データベースにおいて、ハンドヘルド装置の所有者の詳細と関連付けられるアイデンティティを有することを特徴とする、請求項１または２に記載のシステム。
【請求項４】
第１通信装置が、ハンドヘルド装置のアイデンティティをデータベースに送信するように適合されることを特徴とする、請求項３に記載のシステム。
【請求項５】
第２通信装置がコンピュータであることを特徴とする、先行する請求項のいずれか一項に記載のシステム。
【請求項６】
第２通信装置が、ビジネスカード所有者の送信アドレスにファイルのコピーを送信するように適合され、その送信アドレスがビジネスカード所有者についての詳細に含まれることを特徴とする、先行する請求項のいずれか一項に記載のシステム。
【請求項７】
ビジネスカードが、前記位置コーディングパターンを備え、前記ハンドヘルド装置によってビジネスカードに適用され、ビジネスカード受信者に通信される情報のために意図されているメッセージ領域を備えることを特徴とする、先行する請求項のいずれか一項に記載のシステム。
【請求項８】
第２通信装置がｅ−メールまたはファックスの形を取る前記ファイルを送信するように適合されることを特徴とする、先行する請求項のいずれか一項に記載のシステム。
【請求項９】
ビジネスカード上でハンドヘルド装置により読み取られる位置コーディングパターンから計算された座標をハンドヘルド装置から受信するステップと、
ビジネスカード所有者についての詳細を含むファイルをデータベース内で見つけるために前記少なくとも一つの座標を使用するステップと、
ビジネスカード所有者の詳細の受信者の送信アドレスにファイルを送信し、前記送信アドレスが、ハンドヘルド装置の所有者について前記ハンドヘルド装置と関連付けられる詳細により定義されるステップと、
により特徴付けられるビジネスカード所有者の詳細を転送するための方法。
【請求項１０】
ハンドヘルド装置からハンドヘルド装置のアイデンティティを受信し、データベースの中でビジネスカード所有者詳細の受信者への送信アドレスを検出するために前記アイデンティティを使用するステップにより特徴付けられる、請求項９に記載の方法。
【請求項１１】
ファイルのコピーをビジネスカード所有者の送信アドレスに送信し、送信アドレスがビジネスカード所有者についての詳細に含まれるステップにより特徴付けられる、請求項９または１０の方法。
【請求項１２】
ハンドヘルド装置から座標のシーケンスの形を取る追加情報を受信し、ビジネスカード詳細の受信者の送信アドレスに該追加情報を通信するステップにより特徴付けられる、請求項９から１１のいずれか一項に記載の方法。
【請求項１３】
前記ファイルがｅ−メールまたはファックスの形を取るビジネスカード所有者の詳細の受信者の送信アドレスに送信されることを特徴とする、請求項９から１２のいずれか一項に記載の方法。
【請求項１４】
コンピュータにより実行されるときに、請求項９から１３のいずれか一項による方法を実行するプログラムコードを備えるコンピュータプログラム製品。
【国際調査報告】
2004508228.tif 000049
2004508228.tif 000050
2004508228.tif 000051